(57)【要約】【課題】外部の商用電源と照明器具との間に照明器具をオン・オフさせるためのスイッチが接続されており、スイッチがオフになって電力の供給が停止した状態と停電の発生により電力の供給が停止した状態とを区別するため、照明器具には商標電源に接続される導線と、スイッチを介して商用電源に接続される導線と、商用電源とスイッチとの間に接続される導線との、合計３本の導線が接続されているが、通常は２本の導線で配線を行うので、配線作業が煩わしくなる。【解決手段】壁面の振動を検知する振動センサが接続される制御部を設け、外部の商用電源からの電力の供給が停止している状態で充電部の電力で制御部を待機状態にするとともに、その制御部が待機状態で振動センサによって振動を検知すると、制御部は充電部の電力で発光部を発光させる。【選択図】  図２
2016081861.tif 000002
【特許請求の範囲】
【請求項１】
発光部が室内に臨むように取り付けられ、外部の商用電源から供給される電力で発光部を発光させる照明装置であって、照明装置とは別個に設けられたスイッチによって発光部を発光させ、あるいは消灯させるものにおいて、一方に上記スイッチが直列に接続された２本の導線のみによって上記商用電源から電力が供給される電源部と、スイッチがオンになり供給される商用電源からの電力で充電される充電部とを備え、上記室内の壁面に取り付けられ、壁面の振動を検知する振動センサが接続される制御部を設け、上記外部の商用電源からの電力の供給が停止している状態で上記充電部の電力で制御部を待機状態にするとともに、その制御部が待機状態で振動センサによって振動を検知すると、上記制御部は充電部の電力で発光部を発光させることを特徴とする照明装置。
【請求項２】
上記充電部の電力で発光部を発光させるモードは、充電部の電圧が所定の電圧より低下した場合か外部の商用電源からの電力の供給がされた場合かのいずれかによってリセットされることを特徴とする請求項１に記載の照明装置。
【請求項３】
上記制御部は上記振動センサが検知する振動のパターンを記憶し、かつその記憶したパターンを書き換えることができ、振動センサが検知したパターンと記憶しているパターンとが一致した場合に、上記充電部の電力で発光部を発光させることを特徴とする請求項１または請求項２に記載の照明装置。
【発明の詳細な説明】
【技術分野】
【０００１】
本発明は、例えば浴室に設置され、外部の商用電源からの電力の供給が停止した状態で発光することのできる照明装置に関する。
【背景技術】
【０００２】
従来のこの種の照明器具として、例えば外部の商用電源に停電が発生した場合、その停電の発生したことを検知する停電検知部と、外部電源から電力の供給を受けている状態で充電される充電部とを備え、停電検知部で停電の発生を検知すると充電部に充電された電力で自動的に発光するようにしたものが知られている（例えば、特許文献１参照）。
【０００３】
このような照明器具では、外部の商用電源と照明器具との間に照明器具をオン・オフさせるためのスイッチが接続されており、スイッチがオフになって電力の供給が停止した状態と停電の発生により電力の供給が停止した状態とを区別するため、照明器具には商標電源に接続される導線と、スイッチを介して商用電源に接続される導線と、商用電源とスイッチとの間に接続される導線との、合計３本の導線が接続されている。
【先行技術文献】
【特許文献】
【０００４】
【特許文献１】特開２０１３−７３７０６号公報（図３）
【発明の概要】
【発明が解決しようとする課題】
【０００５】
上記のような停電時の自動点灯機能を備えていない従来の照明器具では、停電の発生を検知する必要がないので、外部の商用電源との接続は２本の導線のみでよい。そのため、家屋の施工時には２本の導線のみで配線することが多く、上述のような停電検知機能を備えた照明器具を施工する場合には、別途さらにもう１本の導線を配線しなければならず、配線工事が煩わしいという不具合が生じる。
【０００６】
また、公共施設などでは不特定多数の人間が室内におり、そのため停電発生時には遅滞なく非常用の照明を点灯する必要があるので、停電発生を検知して自動的に点灯する機能が必要であるが、家庭用の照明器具では、停電発生と同時に自動的に点灯させる必要は必ずしもない。
【０００７】
そこで本発明は、上記の問題点に鑑み、２本の導線のみで外部の商用電源から電力供給を受けるものであって、停電発生時には非常用の照明器具としても機能する照明装置を提供することを課題とする。
【課題を解決するための手段】
【０００８】
上記課題を解決するために本発明による照明装置は、発光部が室内に臨むように取り付けられ、外部の商用電源から供給される電力で発光部を発光させる照明装置であって、照明装置とは別個に設けられたスイッチによって発光部を発光させ、あるいは消灯させるものにおいて、一方に上記スイッチが直列に接続された２本の導線のみによって上記商用電源から電力が供給される電源部と、スイッチがオンになり供給される商用電源からの電力で充電される充電部とを備え、上記室内の壁面に取り付けられ、壁面の振動を検知する振動センサが接続される制御部を設け、上記外部の商用電源からの電力の供給が停止している状態で上記充電部の電力で制御部を待機状態にするとともに、その制御部が待機状態で振動センサによって振動を検知すると、上記制御部は充電部の電力で発光部を発光させることを特徴とする。
【０００９】
停電のように外部からの電力供給が停止し消灯した場合や、スイッチをオフにしたことによって消灯した場合であっても、壁面を振動させることにより振動センサに振動を検知させれば発光部が発光する。なお、ここでいう振動とは、壁面を叩くことによって生じる振動でもよく、あるいは音声によって壁面を振動させてもよい。
【００１０】
なお、振動センサが振動を検知すると上記充電部の電力で発光部を発光させるモードに移行するが、上記充電部の電力で発光部を発光させるモードは、充電部の電圧が所定の電圧より低下した場合か外部の商用電源からの電力の供給がされた場合かのいずれかによってリセットされるようにすることが望ましい。
【００１１】
また、上記制御部は上記振動センサが検知する振動のパターンを記憶し、かつその記憶したパターンを書き換えることができ、振動センサが検知したパターンと記憶しているパターンとが一致した場合に、上記充電部の電力で発光部を発光させるようにしてもよい。
【発明の効果】
【００１２】
以上の説明から明らかなように、本発明は、外部の商用電源からの電力供給を２本の導線のみによって行う照明器具であっても、停電時等には発光部を発光させることができる。
【図面の簡単な説明】
【００１３】
【図１】本発明の一実施の形態の構成を示す図
【図２】照明器具の構造を示す図ブロック図
【発明を実施するための形態】
【００１４】
図１を参照して、１は本発明による照明器具の一例であり、浴室ＢＲの天井に設置されている。２は外部の商用電源であり、照明器具１には商用電源２から２本の導線２１，２２を介して電力が供給される。そして、一方の導線２２にはスイッチ２３が直列に取り付けられている。したがって、このスイッチ２３をオンにすると商用電源２から照明器具１に電力が供給され、スイッチ２３がオフになると照明器具１への電力供給が停止する。
【００１５】
浴室ＢＲの壁面Ｗには振動センサ３が取り付けられ、その検知信号は照明器具１へ入力されるように配線されている。なお、この振動センサ３は衝撃などの振動を検知するものであるが、音声信号などを検知できるマイクのよな構造のものであってもよい。
【００１６】
図２を参照して、照明器具１内には、電源部１２が設けられており、商用電源２から供給される電力を所定の電圧の電力に変換して制御部１１に供給する。この制御部１１は、電源部１２から供給される電力で発光部に設けられたＬＥＤ１３，１４を発光させる。なお、スイッチ２３がオンの状態では商用電源２から電力が供給されるので制御部１１はＬＥＤ１３，１４を発光させ、スイッチ２３がオフの状態になるとＬＥＤ１３，１４を消灯させる。
【００１７】
照明器具１内には充電部１５が設けられており、スイッチ２３がオンの状態で制御部１１はこの充電部１５を充電している。そして、上記のように、スイッチ２３がオフになり電源部１２から制御部１１に電力が供給されなくなると、自動的に充電部１５から電力の供給を受けて制御部１１は待機状態に移行する。
【００１８】
この待機状態の時に振動センサ３から検知信号が制御部１１に入力されると、制御部１１は充電部１５に充電されている電力で一部のＬＥＤ１４を発光させるモードになる。このモードになると、制御部１１は充電部１５の電圧が所定の電圧以下に低下するか、あるいは電源部１２からの電力供給が再開するか、のいずれかによってモードが解除されるまで、ＬＥＤ１４を点灯するモードを維持する。
【００１９】
上記振動センサ３が検知する振動とは、例えば壁面Ｗを叩いた時に生じる振動や、手拍子などの音声信号による振動でもよい。壁面を叩く場合には予め制御部１１のメモリ（図示せず）に振動のパターンとして例えば３回壁を叩いた時のパターンを記憶しておき、振動センサ３が検知した振動がメモリに記憶されている振動に一致した場合に、制御部１１はＬＥＤ１４を点灯するように設定しておく。すると、壁面Ｗを１回もしくは２回叩いてもＬＥＤ１４は点灯せず、３回以上叩いた場合にＬＥＤ１４が点灯する。また、メモリ内の記憶を書き換えるモードを設定しておき、記憶されているパターンを任意に書き換えるようにしてもよい。音声による振動の場合にも同様に回数などのパターンを記憶させ、あるいはそのパターンを書き換えられるように構成することが望ましい。
【００２０】
なお、本発明は上記した形態に限定されるものではなく、本発明の要旨を逸脱しない範囲内において種々の変更を加えてもかまわない。
【符号の説明】
【００２１】
１ 照明器具
２ 商用電源
３ 振動センサ
１１ 制御部
１２ 電源部
１３，１４ ＬＥＤ
１２ 電源部
１５ 充電部
２１，２２ 導線
２３ スイッチ
ＢＲ 浴室
Ｗ 壁面
【図１】
2016081861.tif 000003
【図２】
2016081861.tif 000004